(57)【要約】      （修正有）【課題】外観上の体裁感を損なわず、且つ見栄えの良いものとなると共に、その取り外し、交換等も極めて容易で汎用性あるものとした鏡餅用の飾り具およびこれと組合せた鏡餅を提供する。【解決手段】二段重ねの鏡餅形状を呈する餅容器Ｐの括れ部分の周囲を巻回して餅容器Ｐに装着する紐体１と、餅容器Ｐに飾り付ける飾り物Ｑを紐体１に連繋するよう飾り物Ｑに設けた連繋手段２とを備える。連繋手段２は、飾り物Ｑの裏面に固着可能もしくは一体突出した筒体５に、筒体５の長手方向に沿って形成し、強制的に拡げて紐体１の一部を筒体５内に挿入させる割れ目状の挿通部とから成る。紐体１は、紅白に施色した弾性伸縮可能なリング状のゴム紐によって形成する。【選択図】図１
0003117980.tif 000002
【実用新案登録請求の範囲】
【請求項１】
二段重ねの鏡餅形状を呈する餅容器の括れ部分の周囲を巻回して餅容器に装着される紐体と、餅容器に飾り付けられる飾り物を紐体に連繋可能とする連繋手段とを備えて成ることを特徴とする鏡餅用の飾り具。
【請求項２】
連繋手段は、飾り物の裏面に固着可能もしくは一体突出した筒体に、当該筒体の長手方向に沿って形成され、強制的に拡げて前記紐体の一部を筒体内に挿入させる割れ目状の挿通部を設けて成る請求項１記載の鏡餅用の飾り具。
【請求項３】
紐体は、紅白に施色された弾性伸縮可能なリング状のゴム紐によって形成されている請求項１または２記載の鏡餅用の飾り具。
【請求項４】
連繋手段は、飾り物の裏面に固着可能もしくは一体突出したベース部と、前記紐体が挿通されるようベース部から突設した環状突起形の挿通部とから成る請求項１記載の鏡餅用の飾り具。
【請求項５】
紐体は、紅白に施色された布帯紐、または紅白の紙材で巻装された針金によって形成されている請求項４記載の鏡餅用の飾り具。
【請求項６】
飾り物は、餅容器の上段を覆い且つ前記紐体によって餅容器に固定される獅子舞カバーを備えた獅子舞構造とした請求項１乃至５のいずれか記載の鏡餅用の飾り具。
【請求項７】
二段重ねの鏡餅形状を呈する餅容器の括れ部分の周囲を巻回して餅容器に装着される紐体と、餅容器に飾り付けられる飾り物を紐体に連繋可能とする連繋手段とを備え、連繋手段は、飾り物の裏面に固着可能もしくは一体突出した筒体に、当該筒体の長手方向に沿って形成され、強制的に拡げて前記紐体の一部を筒体内に挿入させる割れ目状の挿通部を設けて成り、紐体は、紅白に施色された弾性伸縮可能なゴム輪によって形成されていることを特徴とする鏡餅用の飾り具。
【請求項８】
二段重ねの鏡餅形状を呈する餅容器の括れ部分の周囲を巻回して餅容器に装着される紐体と、餅容器に飾り付けられる飾り物を紐体に連繋可能とする連繋手段とを備え、連繋手段は、飾り物の裏面に固着可能もしくは一体突出したベース部に前記紐体が挿通される環状突起形の挿通部を突設するか、または飾り物の裏面に固着可能もしくは一体突出した筒体に当該筒体の長手方向に沿って形成され、強制的に拡げて前記紐体の一部を筒体内に挿入させる割れ目状の挿通部を設けるかして成り、紐体は、紅白に施色された布帯紐もしくは紅白の紙材で巻装された針金によって形成されていることを特徴とする鏡餅用の飾り具。
【請求項９】
餅容器に、前記した請求項１乃至８のいずれか記載の鏡餅用の飾り具を組み合わせて成ることを特徴とする鏡餅。
【考案の詳細な説明】
【技術分野】
【０００１】
本考案は、例えば正月、祝い事その他の祭事に際し飾り付けられるお供え餅となる二段重ね形状のパック型鏡餅における各種の飾り具、例えば干支、おみくじ、絵馬、飾り果実体、飾り海老、御幣等の飾り物を種々に変化させて鏡餅に飾り付けられるようにした鏡餅用の飾り具および鏡餅に関する。
【背景技術】
【０００２】
従来から正月や祝い事等に際し、重ね飾り餅が用いられており、その飾りには大小の円形状のお供え餅を２段に重ね、その上に蜜柑等の果実を飾りに置いたり、縁起物の飾り海老、御幣等を取り付けたりしている。その飾りのための果実代用品として、例えば特許文献１に開示されているように、プラスチック製の二段重ねの鏡餅形状を呈する餅容器内に餅を詰入すると共に、餅容器の括れ部分の周囲を巻回して餅容器に装着されるよう、餅容器周囲に当接する湾曲状の装着部と、この装着部端相互間で連繋されて餅容器に巻回装着されるよう弾性伸縮される伸縮弾性部と、装着部から分岐されて餅容器の上面に至るまでに伸びた湾曲している装着アーム部とから成る飾り支持具本体を備え、該飾り支持具本体の装着アーム部に備えた連繋手段によって各種の飾り物を支持させる構成とした鏡餅用の飾り支持具が提案されている。
【特許文献１】実用新案登録第３１１２４９６号公報
【考案の開示】
【考案が解決しようとする課題】
【０００３】
しかしながら、従来においては、飾り支持具本体が、装着部、伸縮弾性部、装着アーム部それぞれから成る複雑な構成で成形材料も多くなるため、作製上非常に面倒で、しかも製造コストも高くついてしまう。また、飾り支持具本体のこれら各部が外側から見えてしまうため外観上も不体裁な感を呈し、見栄えも悪くなるという問題点を有していた。
【０００４】
そこで、本考案は叙上のような従来存した諸事情に鑑み案出されたもので、低コストで容易に作製でき、しかも外観上の体裁感を損なわず、且つ見栄えの良いものとなると共に、またその取り外し、交換等も極めて容易で汎用性あるものとした鏡餅用の飾り具および鏡餅を提供することを目的とする。
【課題を解決するための手段】
【０００５】
上述した課題を解決するため、本考案に係る鏡餅用の飾り具にあっては、二段重ねの鏡餅形状を呈する餅容器Ｐの括れ部分の周囲を巻回して餅容器Ｐに装着される紐体１と、餅容器Ｐに飾り付けられる飾り物Ｑを紐体１に連繋可能とする連繋手段２とを備えて成るものである。
連繋手段２は、飾り物Ｑの裏面に固着可能もしくは一体突出した筒体５に、当該筒体５の長手方向に沿って形成され、強制的に拡げて前記紐体１の一部を筒体５内に挿入させる割れ目状の挿通部４を設けて成るものとできる。
連繋手段２は、飾り物Ｑの裏面に固着可能もしくは一体突出したベース部３と、前記紐体１が挿通されるようベース部３から突設した環状突起形の挿通部４とから成るものとすることができる。
紐体１は、紅白に施色された弾性伸縮可能なリング状のゴム紐によって形成されているか、あるいは紅白に施色された布帯紐によって形成されているか、あるいは紅白の紙材で巻装された針金によって形成されているものとできる。
飾り物Ｑは、餅容器Ｐの上段を覆い且つ前記紐体１によって餅容器Ｐに固定される獅子舞カバー６を備えた獅子舞構造としたものとすることができる。
さらに具体的には、二段重ねの鏡餅形状を呈する餅容器Ｐの括れ部分の周囲を巻回して餅容器Ｐに装着される紐体１と、餅容器Ｐに飾り付けられる飾り物Ｑを紐体１に連繋可能とする連繋手段２とを備え、連繋手段２は、飾り物Ｑの裏面に固着可能もしくは一体突出した筒体５に、当該筒体５の長手方向に沿って形成され、強制的に拡げて前記紐体１の一部を筒体５内に挿入させる割れ目状の挿通部４を設けて成り、紐体１は、紅白に施色された弾性伸縮可能なリング状のゴム紐によって形成されているものとすることができる。
あるいは、二段重ねの鏡餅形状を呈する餅容器Ｐの括れ部分の周囲を巻回して餅容器Ｐに装着される紐体１と、餅容器Ｐに飾り付けられる飾り物Ｑを紐体１に連繋可能とする連繋手段２とを備え、連繋手段２は、飾り物Ｑの裏面に固着可能もしくは一体突出したベース部３に前記紐体１が挿通される環状突起形の挿通部４を突設するか、または飾り物Ｑの裏面に固着可能もしくは一体突出した筒体５に当該筒体５の長手方向に沿って形成され、強制的に拡げて前記紐体１の一部を筒体５内に挿入させる割れ目状の挿通部４を設けるかして成り、紐体１は、紅白に施色された布帯紐もしくは紅白の紙材で巻装された針金によって形成されているものとすることができる。
また、本考案に係る鏡餅にあっては、餅容器Ｐに、これらの上述した紐体１、連繋手段２を備えた飾り物Ｑそれぞれによる鏡餅用の飾り具を組合せて成る。
【０００６】
以上のように構成された本考案に係る鏡餅用の飾り具にあって、連繋手段２は、二段重ねの鏡餅形状を呈する餅容器Ｐの括れ部分の周囲を巻回する紐体１に各種の飾り物Ｑを飾り付けさせる。
飾り物Ｑの裏面に固着可能もしくは一体突出したベース部３から突設した環状突起形の挿通部４を備えた連繋手段２は、紅白に施色された布帯紐、あるいは紅白の紙材で巻装された針金のいずれかによる紐体１を環状突起形の挿通部４に挿通させてから、該紐体１を餅容器Ｐの括れ部分の周囲を巻回させて縛ることで各種の飾り物Ｑを餅容器Ｐに装着させる。
飾り物Ｑの裏面に固着可能もしくは一体突出した筒体５に、割れ目状の挿通部４を備えた連繋手段２は、挿通部４を強制的に拡げることで、紅白に施色された弾性伸縮可能なリング状のゴム紐による紐体１の一部を挿入させ、この紐体１によって各種の飾り物Ｑを鏡容器Ｐに装着させる。
しかも、弾性伸縮されるリング状のゴム紐による紐体１は、餅容器Ｐ自体がその周囲長さに若干の長短・大小等の相違があっても紐体１と共に餅容器Ｐにしっくりと確実に飾り物Ｑを装着させる。
獅子舞構造の飾り物Ｑは、獅子舞カバー６を餅容器Ｐの上段を覆ってから紐体１によって餅容器Ｐの括れ部分の周囲に固定されることで、餅容器Ｐの上段部分を獅子舞形状に表現させる。
【考案の効果】
【０００７】
本考案によれば、鏡餅となる餅容器Ｐの飾り具Ｑを低コストで容易に作製でき、しかも外観上の体裁感を損なわず、且つ見栄えの良いものとなると共に、またその取り外し、交換等も極めて容易で汎用性あるものとすることができる。
【０００８】
すなわちこれは本考案において、二段重ねの鏡餅形状を呈する餅容器Ｐの括れ部分の周囲を巻回して餅容器Ｐに装着される紐体１と、餅容器Ｐに飾り付けられる飾り物Ｑを紐体１に連繋可能とする連繋手段２とを備えて成るからであり、これにより、餅容器Ｐに対する飾り物Ｑの取り外し、交換等も極めて容易で汎用性あるものとすることができる。
【０００９】
連繋手段２は、飾り物Ｑの裏面に固着可能もしくは一体突出したベース部３と、前記紐体１が挿通されるようベース部３から突設した環状突起形の挿通部４とから成るので、飾り物Ｑを餅容器Ｐの括れ部分の周囲に安定的に位置決めさせた状態で確実に支持することができる。
【００１０】
連繋手段２は、飾り物Ｑの裏面に固着可能もしくは一体突出した筒体５に、当該筒体５の長手方向に沿って形成され、強制的に拡げて前記紐体１の一部を筒体５内に挿入させる割れ目状の挿通部４を設けて成るので、紐体１に対する飾り物Ｑの取り外し、交換等が極めて容易なものとなる。
【００１１】
紐体１は、紅白に施色された弾性伸縮可能なリング状のゴム紐、紅白に施色された布帯紐、紅白の紙材で巻装された針金のいずれかによって形成されているので、餅容器Ｐの外観上の体裁感を損なわず、且つ見栄えの良いものとなる。
【００１２】
飾り物Ｑは、餅容器Ｐの上段を覆い且つ前記紐体１によって固定される獅子舞カバー６を備えた獅子舞構造としたので、餅容器Ｐの上段部分を獅子舞形状に表現させることができる。
【００１３】
また、本考案に係る鏡餅にあっては、餅容器Ｐに上述した紐体１、連繋手段２から成る鏡餅用の飾り具を組み合わせて成るので、外観上の体裁感を損なわず、且つ見栄えの良い鏡餅を低コストで容易に提供することができる。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下、図面を参照して本考案を実施するための最良の一形態を説明すると、図において示される符号１は、飾り物Ｑを取り付けるための紅白に施色された弾性伸縮可能なリング状のゴム紐によって形成した紐体である。該紐体１は、図１に示すように、二段重ね餅状の外形に模して形成された餅容器Ｐにおける例えば上下の餅部分の中間である括れ部分に装着される。すなわち、紐体１は餅容器Ｐの括れ部分周囲に弾性な伸張・縮小状態にして巻回装着するのであり、この弾性伸張・縮小によって括れ部分における外径の大小の相違に対する自在性、確実な飾り物Ｑの装着性の向上等に対応できるように配慮してある。
【００１６】
餅容器Ｐ自体は、内部に封入する所定の餅例えば切り餅を１個毎にパックし、それを複数にして封入したり、餅容器Ｐ形状に沿うよう扁平状に成型した大小の飾り餅を、その外形を損なうことなく収納保管する。いずれにしてもこの収納する餅材の形状、大きさその他は任意であり、適宜に選択できるものとなっているのは勿論である。
【００１７】
また、餅容器Ｐに飾り付けられる飾り物Ｑは、上下の餅部分の中間である括れ部分に装着されている紐体１の一部に連繋手段２を介して連繋されるものとしてある。例えば、この連繋手段２は、図２に示すように、例えば絵馬によって表現された飾り物Ｑの裏面に、例えば両面粘着テープ７によって筒体５を水平に固着し、該筒体５の固着されていない反対側に長手方向に沿って切裂した割れ目状の挿通部４を形成したものとしてあり、当該筒体５の挿通部４を強制的に拡げて前記紐体１の一部を筒体５内に挿入させることによって、図５（ａ）に示すように、飾り物Ｑが餅容器Ｐの括れ部分周囲に取り付けられるものとしてある。
【００１８】
尚、この筒体５は、飾り物Ｑと一体に突出形成されていても良い。この場合、飾り物Ｑと筒体５とは、基本的には例えば合成樹脂材のインジェクション成形によって一体に形成される。また、飾り物Ｑは、絵馬以外の例えば、おみくじ（図５（ｂ）参照）、あるいは犬等の干支（図５（ｃ）参照）等であっても良い。
【００１９】
次に、以上のように構成された最良の形態についての使用、組立の一例について説明すると、図１に示すように、飾り物Ｑの裏面にある連繋手段２たる筒体５の割れ目状の挿通部４を強制的に拡げて、紅白に施色されたリング状のゴム紐による紐体１の一部を筒体５内に挿入させる。
【００２０】
そして、紐体１を、二段重ね餅状の外形に模して形成された餅容器Ｐにおける上下の餅部分の中間である括れ部分に装着することで、図２に示すように、各種の飾り物Ｑが、上下の餅部分の中間である括れ部分に支持固定される。
【００２１】
図３および図４には、連繋手段２の他例が示されている。すなわち、飾り物Ｑの裏面に、一端面に環状突起形の挿通部４を突設したベース部３の他端面を例えば両面粘着テープ７によって固着し、この挿通部４に、紅白に施色された布帯紐によって形成された紐体１を挿通するようにしてある。尚、ベース部３は、合成樹脂材のインジェクション成形等によって飾り物Ｑと一体に形成しても良い。また、紐体１は、紅白の紙材で巻装された針金等で形成しても良い。
【００２２】
飾り物Ｑを餅容器Ｐに装着する場合には、飾り物Ｑの裏面に固着した連繋手段２たるベース部３の環状突起形の挿通部４に、紅白に施色された布帯紐による紐体１を挿通させておき、該紐体１を餅容器Ｐの括れ部分の周囲を巻回させて後側で縛ることで、図４に示すように、各種の飾り物Ｑが、上下の餅部分の中間である括れ部分に支持固定される。
【００２３】
上記した飾り物Ｑは、絵馬の他に、例えば獅子舞、熊手、打ち出の小槌、コマ、お年玉（ぽち袋）、招き猫、だるま、六角凧、やっこ凧、羽子板、羽根、扇、かるた等の種々に表現したものであっても良い。
【００２４】
例えば、獅子舞構造とした飾り物Ｑの場合には、図５（ｄ）に示すように、餅容器Ｐの上段を覆うための唐傘模様の獅子舞カバー６を備え、前記紐体１を獅子舞カバー６の縁部側に縫製等によって内包させてある。
【００２５】
飾り物Ｑを餅容器Ｐに装着する場合には、リング状のゴム紐による紐体１を開拡伸張しながら獅子舞カバー６を餅容器Ｐの上段に覆い被せてから、上下の餅部分の中間である括れ部分に、紐体１自体の弾性収縮力でもって獅子舞カバー６を固定する。
【００２６】
そして、飾り物Ｑの裏面にある連繋手段２たる筒体５の割れ目状の挿通部４を強制的に拡げて紐体１の一部に装着させることで、獅子舞の顔に表現された飾り物Ｑが、獅子舞カバー６で覆い被せられている上下の餅部分の中間である括れ部分に支持固定される。
【図面の簡単な説明】
【００２７】
【図１】本考案を実施するための最良の形態を示す分解斜視図である。
【図２】同じく餅容器に飾り物を取り付けた状態の要部断面図である。
【図３】同じく本形態における他例を示す分解斜視図である。
【図４】同じく餅容器に飾り物を取り付けた状態の要部断面図である。
【図５】同じく餅容器に各種の飾り物を取り付けた状態を示すもので、（ａ）は絵馬を取り付けた餅容器の正面図、（ｂ）はおみくじを取り付けた餅容器の正面図、（ｃ）は干支を取り付けた餅容器の正面図、（ｄ）は獅子舞を取り付けた餅容器の正面図である。
【符号の説明】
【００２８】
Ｐ…餅容器                              Ｑ…飾り物
１…紐体                                ２…連繋手段
３…ベース部                            ４…挿通部
５…筒体                                ６…獅子舞カバー
７…両面粘着テープ
【図１】
0003117980.tif 000003
【図２】
0003117980.tif 000004
【図３】
0003117980.tif 000005
【図４】
0003117980.tif 000006
【図５】
0003117980.tif 000007